(57)【要約】      （修正有）【課題】プラスチック容器の首部、または折り畳み可能な袋包装容器の注出口の首部に捩じ込まれる閉鎖組立体を提供する。【解決手段】閉鎖組立体は、封止部分と首部とを伴う注出口本体１１を有する注出口１を備え、組立体は開放方向において閉位置から手作業で回転される回転プラスチックキャップ２を備え、キャップは上壁２１とスカート部２２と羽根部品２４とを有する。羽根部品の上部分２４ｂは上突出部２５を備え、上突出部は、キャップの上面視において、2つの羽根部品の各々の上部分が、開放方向に対応する方向/その反対の方向において、羽根部品の基礎部分にわたって、または、基礎部分の外側で、羽根部品長さに沿って延びるように、キャップの開放方向に、または、キャップの開放方向と反対に延び、それによって、各々の上突出部長さに沿って、開放方向の鉛直平面における断面について、上突出部の表面積が、基礎部分の表面積と、等しく慣性モーメントに寄与する。【選択図】図１
0003227979.tif 000002
【実用新案登録請求の範囲】
【請求項１】
プラスチック材料から射出成形される注出口本体(11)を有する注出口(1)であって、前記注出口本体(11)は、その封止部分の上方に管状の首部(13)を有し、製品通路(14)が前記注出口の前記封止部分と前記注出口の前記首部とを通じて延び、前記管状の首部は、鉛直方向の主軸(13c)を有し、前記製品通路の上端において口部(15)を形成し、前記首部は外部側面(13a)を有する、注出口(1)と、
プラスチック材料から射出成形され、それ自体が前記製品通路を封止するように前記首部におけるそれ自体の閉位置において前記注出口の前記首部に固定されるかまたは固定されることになる回転キャップ(2)であって、前記製品通路を開放するための使用者による前記注出口の前記首部からの前記回転キャップの取り外しのために、前記閉位置から開放方向(y)に手作業で回転させられるように適合される回転キャップ(2)と、
を備え、
前記回転キャップは上壁(21)と下向きに垂れるスカート部(22)とを備え、前記スカート部は、内部側面(22b)と、外部側面(22a)と、前記上壁から離れた下方縁とを有し、
前記首部の前記外部側面および前記スカート部の前記内部側面は、協働する回転連結部材を有し、好ましくは、前記首部および前記スカート部のそれぞれにおける第1および第2のネジ山(16、23)を有し、
前記回転キャップは直径方向で反対にある2つの羽根部品(24)を有し、前記羽根部品(24)は、プラスチック材料から一体的に成形され、鉛直平面において、前記スカート部から外向きに、羽根部品長さにわたって横方向に延び、基礎部分(24a)と上部分(24b)とを各々が有する、
閉鎖組立体であって、
前記2つの羽根部品の各々の前記上部分は、前記基礎部分から前記上部分の高さにわたり、上突出部長さにわたって羽根部品長さに沿って横方向に延びる少なくとも1つの上突出部(25)を備え、
各々の上突出部(25)は、前記回転キャップの上面視において、前記2つの羽根部品の各々の前記上部分が、前記開放方向に対応する方向、および/または、前記開放方向と反対の方向において、前記羽根部品の前記基礎部分にわたって、または、前記基礎部分の外側で、前記羽根部品長さに沿って延びるように、前記回転キャップの上面視において、前記回転キャップの前記開放方向に、または、前記回転キャップの前記開放方向と反対に実質的に延び、
それによって、各々の上突出部長さに沿って、前記開放方向の鉛直平面における断面について、前記少なくとも1つの上突出部の表面積が、前記基礎部分の表面積と、少なくとも等しく慣性モーメントに寄与する
ことを特徴とする閉鎖組立体。
【請求項２】
2つの前記羽根部品の各々の前記上部分は少なくとも2つの上突出部(25)を備え、前記少なくとも2つの上突出部(25)のうちの少なくとも1つは、前記回転キャップの上面視において、前記開放方向において前記基礎部分の外側で前記羽根部品長さに沿って延び、
前記少なくとも2つの上突出部(25)のうちの少なくとも別のものは、前記回転キャップの上面視において、前記開放方向と反対の方向において前記基礎部分の外側で前記羽根部品長さに沿って延びる、請求項1に記載の閉鎖組立体。
【請求項３】
各々の上突出部長さに沿って、前記羽根部品の鉛直方向の断面がY字形を定める、請求項2に記載の閉鎖組立体。
【請求項４】
各々の上突出部長さに沿って、前記羽根部品の鉛直方向の断面がT字形を定める、請求項2に記載の閉鎖組立体。
【請求項５】
少なくとも1つの上突出部を有する各々の羽根部品の高さが前記羽根部品長さにわたって横方向で低下する、請求項1から4のいずれか一項に記載の閉鎖組立体。
【請求項６】
少なくとも1つの上突出部を有する各々の羽根部品の前記上部分は、前記羽根部品長さに沿って、前記横方向において、前記羽根部品の高さにわたって弓形を定める、請求項5に記載の閉鎖組立体。
【請求項７】
前記回転キャップの上面視において、各々の上突出部は、実質的に前記羽根部品長さ全体にわたって延びる、請求項1から6のいずれか一項に記載の閉鎖組立体。
【請求項８】
前記羽根部品長さは前記スカート部から測定して1.5から4.5ｃｍの間である、請求項1から7のいずれか一項に記載の閉鎖組立体。
【請求項９】
前記2つの羽根部品の各々は少なくとも1つの端突出部(26)をさらに備え、前記端突出部(26)の各々は、前記2つの羽根部品の各々の横端の縁に沿って、前記横端の高さにわたって延び、前記回転キャップの前記開放方向に、および/または、前記回転キャップの前記開放方向の反対に実質的に延びる、請求項1から8のいずれか一項に記載の閉鎖組立体。
【請求項１０】
前記回転キャップは、前記スカート部に一体に成形されるタンパーエビデント環(3)をさらに備え、前記タンパーエビデント環は少なくとも2つの環区分(31)から成り、各々の環区分は基礎部分(32)と指示部分(33)とを有し、
前記基礎部分は、1つまたは複数の非脆弱性コネクタ部分(34)を介して前記スカート部に連結され、前記基礎部分は、その終端(32a)から、開放方向において、前記主軸の周りでの基礎部分角度にわたって延び、前記基礎部分は、前記主軸の周りの内面半径を伴う内面(32b)を有し、
前記指示部分(33)は、分岐部(33a)において前記基礎部分と一体であり、前記分岐部から、開放方向において、前記主軸の周りでの指示部分角度にわたって、前記指示部分の始端(35)まで延び、
前記指示部分(33)は、その前記始端(35)において、一体に成形された脆弱性橋梁部(36)を介して、別の環区分(31)の基礎部分の隣接する終端(32a)に連結され、
前記注出口は、前記タンパーエビデント環の各々の環区分(31)について、回転防止用のボス(4)を有し、前記ボスは、前記環区分の指示部分(33)の対応する始端(33a)によって係合されるように配置され、
タンパーエビデント環を伴う前記回転キャップは、前記回転キャップを初めてその閉位置から前記使用者によって開放方向に回転させると、前記指示部分(33)の前記始端が前記ボスと係合するように具現化され、それによって前記ボスは前記始端が前記回転キャップの開放方向にさらに動くことを防止し、前記始端(33a)と前記基礎部分の前記終端(32a)との間の前記脆弱性橋梁部(36)は破断し、前記指示部分は永久的に変形し、
前記ボス(4)は、前記指示部分(33)の前記始端(33a)を向く前記ボスの側において凹部(42)を有する留め部分(41)を有し、前記回転キャップがその閉位置にあるときに前記終端(32a)の近くで前記基礎部分の前記内面(32b)に沿って配置される外面(41b)を伴う留め部分外壁(41a)を有し、
前記指示部分の前記始端(33a)は、前記回転キャップがその閉位置にあるときに隣接する前記基礎部分の前記終端(32a)から径方向内向きにある間隔において配置され、
それによって、前記回転キャップを初めてその閉位置から前記使用者によって開放方向に回転させると、前記指示部分の前記始端(33a)は前記留め部分の前記凹部(32)に入り、そのため前記回転キャップの開放方向にさらに動くことが防止され、一方、前記留め部分外壁(41a)は、離間させられた前記始端(35)と前記終端(32a)との間の前記間隔へ入り、開放方向に前記回転キャップをさらに回転させると、前記始端と前記終端との間の前記脆弱性橋梁部(36)は破断し、前記指示部分(33)は、曲がる、折れる、および/または倒れ、永久的に変形する、請求項1から9のいずれか一項に記載の閉鎖組立体。
【請求項１１】
プラスチック材料から射出成形される注出口本体(11)を有する注出口(1)であって、前記注出口本体(11)は、封止部分の上方に管状の首部(13)を有し、製品通路(14)が前記注出口の前記封止部分と前記注出口の前記首部とを通じて延び、前記管状の首部は、鉛直方向の主軸(13c)を有し、前記製品通路の上端において口部(15)を形成し、前記首部は外部側面(13a)を有する、注出口(1)と、
プラスチック材料から射出成形され、それ自体が前記製品通路を封止するように前記首部におけるそれ自体の閉位置において前記注出口の前記首部に固定されるかまたは固定されることになる回転キャップ(2)であって、前記製品通路を開放するための使用者による前記注出口の前記首部からの前記回転キャップの取り外しのために、前記閉位置から開放方向(γ)に手作業で回転させられるように適合される回転キャップ(2)と
を備え、
前記回転キャップは上壁(21)と下向きに垂れるスカート部(22)とを備え、前記スカート部は、内部側面(22b)と、外部側面(22a)と、前記上壁から離れた下方縁とを有し、
前記首部の前記外部側面および前記スカート部の前記内部側面は、協働する回転連結部材を有し、好ましくは、前記首部および前記スカート部のそれぞれにおける第1および第2のネジ山(16、23)を有し、
前記回転キャップは直径方向で反対にある2つの羽根部品(24)を有し、前記羽根部品(24)は、プラスチック材料から一体的に成形され、鉛直平面において、前記スカート部から外向きに、羽根部品長さにわたって横方向に延びる、
閉鎖組立体であって、
各々の羽根部品(24)は、羽根パネルとして具現化される基礎部分(24a)と、前記基礎部分(24a)から上向きに延び、互いから分岐して、前記基礎部分(24a)と共に前記羽根部品のY字形とされた鉛直方向の断面を定める2つの分岐した上突出部(25)を伴う隣接する上部分(24b)とを有する
ことを特徴とする閉鎖組立体。
【請求項１２】
請求項1から11のいずれか一項に記載の閉鎖組立体が設けられた容器(50)。
【請求項１３】
請求項1から11のいずれか一項に記載の閉鎖組立体が設けられた折り畳み可能な袋包装であって、前記袋包装(50)は上縁(51)を有し、前記注出口の封止部分は、前記横方向において延びる前記袋包装の上縁封止部における2つの袋包装壁の間で封止され、前記回転キャップ(2)の前記羽根部品は、前記回転キャップの閉位置において、前記折り畳み可能な袋包装の前記上縁の前記鉛直平面と平行に前記横方向に延びる、折り畳み可能な袋包装。
【考案の詳細な説明】
【技術分野】
【０００１】
本考案は、閉鎖組立体と、閉鎖組立体が設けられた容器とに関する。
【背景技術】
【０００２】
閉鎖組立体は、例えば、プラスチック容器の首部、または、折り畳み可能な袋包装容器に取り付けられた注出口の首部に捩じ込まれるプラスチックのネジキャップで知られている。
【０００３】
請求項1の前提部による閉鎖組立体は、例えば特許文献１から知られている。
【先行技術文献】
【特許文献】
【０００４】
【特許文献１】欧州特許出願公開第2766279号明細書
【特許文献２】国際公開第2014/007612号パンフレット
【考案の概要】
【考案が解決しようとする課題】
【０００５】
本考案は、改良型の閉鎖組立体を提供すること、または、例えば閉鎖組立体を作り上げる材料の量を最小限にすることができる、知られている閉鎖組立体についての代替を少なくとも提供することを、目的とする。
【課題を解決するための手段】
【０００６】
本考案は、キャップの2つの羽根部品の各々の上部分は、基礎部分から上部分の高さにわたり、上突出部長さにわたって羽根部品長さに沿って横方向に延びる少なくとも1つの上突出部を備え、各々の上突出部は、キャップの上面視において、2つの羽根部品の各々の上部分が、開放方向に対応する方向、および/または、開放方向と反対の方向において、羽根部品の基礎部分にわたって、または、基礎部分の外側で、羽根部品長さに沿って延びるように、キャップの上面視において、キャップの開放方向に、または、キャップの開放方向と反対に実質的に延び、それによって、各々の上突出部長さに沿って、開放方向の鉛直平面における断面について、少なくとも1つの上突出部の表面積が、基礎部分の表面積と、少なくとも等しく慣性モーメントに寄与することを特徴とする、請求項1の前提部による閉鎖組立体を提供することで、言及した目的を達成する。
【０００７】
本考案の利点は、キャップの羽根部品を有することが、開放方向および/または反対方向における1つまたは複数の上突出部を備え、これらの方向における許容可能な曲げ剛性を羽根部品に持たせることができる一方で、これらの方向における鉛直方向の断面が制限されることにある。これは、羽根部品をより少ないプラスチック材料から作り上げさせることができる一方で、キャップを開放するために使用者の指によって同じトルクを発揮させることができる。
【０００８】
この有利な効果は、言及された方向における鉛直方向の断面の慣性モーメントが、この断面の鉛直方向の中心線からより遠くに表面積を提供することで漸進的に増加し、そのため、次第に小さくなる表面積が、この中心線からさらに離して設けられるときに曲げ剛性に同じ寄与を有するという洞察に基づかれている。そこでは、中心線は、断面の重心を通る鉛直線である。したがって、羽根部品は、使用者によって発揮され得るトルクを低減させることなく、材料を開放方向および/または反対方向においてさらに延ばすことによって、より少ない材料から作り上げられ得る。
【０００９】
さらに、キャップが注出口の上部に設けられることになるため、使用者は、自身の手をキャップの上に置き、自身の指を下向きに垂らしながら、羽根部品に係合すると想定される。各々の指が1つまたは複数の羽根部品に発揮する力の係合位置は、概して羽根部品の上方部品にあり、そのため剛性はそこにおいて最も機能的である。
【００１０】
キャップは正確に2つの羽根部品を有し、そのため、使用者の指によるそれら羽根部品への最も使い勝手の良い把持を可能にする。さらに、適切な実施形態では、閉鎖組立体は、キャップがその閉位置にある状態で、横方向において延びる上縁が折り畳み可能な袋包装に設けられ、これは、羽根部品を、折り畳み可能な袋包装の上縁の鉛直平面と平行な横方向において延ばすことができる。これは、袋包装と閉鎖組立体との組み合わせによって袋包装に垂直な方向における空間の占有を制限し、それによって、具体的には大量での取り扱い、保管、および/または輸送されるとき、効率的な取り扱い、保管、および輸送を可能にする。
【００１１】
好ましくは、基礎部分は、前記鉛直方向において主要な延在を有する羽根パネルとして具現化される。実施形態では、開放方向を向く各々の羽根部品の基礎部分の表面と、反対方向を向く各々の羽根部品の基礎部分の表面とは、実質的に平坦であり、最も好ましくは、開放方向またはその反対において、実質的な浮き彫りを全く備えていない。羽根パネルは、望まれる場合、1つまたは複数の孔が設けられ得る。
【００１２】
好ましい実施形態では、キャップの上面視において、各々の羽根部品の上部分は2つの上突出部を有する。これらの2つの上突出部のうち、一方は開放方向において基礎部分の外側で羽根部品長さに沿って延び、他方は反対の方向において羽根部品長さに沿って延びる。そこでは、好ましくは、これら2つの上突出部は、基礎部分の羽根パネルと一緒に、羽根部品の鉛直方向の断面において見たとき、Y字形を定める。代替で、各々の上突出部長さに沿って、羽根部品の鉛直方向の断面がT字形を定めることができ、そのため、2つの突出部は同じ水平平面にあり、羽根パネルが成形された基礎部分から反対の方向に延びる。
【００１３】
別の代替の実施形態では、上突出部は、キャップの上面視において、開放方向において基礎部分の外側にすべて延びるか、または、反対方向において基礎部分の外側にすべて延びるかのいずれかである。そこでは、各々の上突出部長さに沿って、羽根部品の鉛直方向の断面が、例えば、ひっくり返されたL字形、または、鏡像でひっくり返されたL字形を定め得る。
【００１４】
さらに好ましくは、上突出部は、羽根部品の基礎部分として、特にはキャップの上壁と連結するように、スカート部から外向きに延びる。これは、キャップの高さの効率的な使用を可能にし、羽根部品からキャップの中央部品へのトルクの最適な伝達にさらに都合が良い。
【００１５】
好ましくは、羽根部品の各々の高さは、羽根部品長さにわたって前記横方向において縮小する。具体的には、好ましくは、少なくとも1つの上突出部を有する各々の羽根部品の上部分は、羽根部品長さに沿って、横方向において、弓形を定める。実質的に一様な高さを有する羽根部品と比較して、羽根部品のそのように結果生じる弓形または円弧形は、曲げ剛性を維持する一方で羽根部品を作り上げる材料の量のさらなる低減を可能にし、それによって本考案の有利な効果にさらに寄与することになる。
【００１６】
好ましくは、キャップの上面視において、各々の上突出部は、実質的に羽根部品長さ全体にわたって延びる。これは、実質的に羽根部品長さ全体にわたる材料低減を可能にし、それによって本考案の有利な効果にさらに寄与することになる。
【００１７】
各々の羽根部品の機能性において有利には、スカート部から測定される羽根部品の長さは、使用者の指を羽根部品と係合させるために好ましくは少なくとも1.5ｃｍである。羽根部品の長さは好ましくは最大でも4.5ｃｍであり、そのため、例えば飲料を収容し、閉鎖組立体が設けられ得る袋包装より遠くへと横方向において延びず、例えば、封止部分は袋包装の上縁封止部へと封止される。
【００１８】
特許文献２は、スカート部に一体に成形されるタンパーエビデント環を備えるキャップを開示している。本考案によるキャップの実施形態では、キャップはこのようなタンパーエビデント環を備える。そこでは、タンパーエビデント環は少なくとも2つの環区分から成り、各々の環区分は基礎部分と指示部分とを有する。そこでは、基礎部分は、1つまたは複数の非脆弱性コネクタ部分を介してスカート部に連結される。基礎部分は、その終端から、開放方向において、主軸の周りでの基礎部分角度にわたって延びる。基礎部分は、主軸の周りの内面半径を伴う内面を有する。
【００１９】
さらに、指示部分は、分岐部において基礎部分と一体であり、分岐部から、開放方向において、主軸の周りでの指示部分角度にわたって、指示部分の始端まで延びる。そこでは、指示部分は、その始端において、一体に成形された脆弱性橋梁部を介して、別の環区分の基礎部分の隣接する終端に連結される。
【００２０】
注出口は、タンパーエビデント環の各々の環区分について、回転防止ボスを有する。ボスは、区分の指示部分の対応する始端によって係合されるように配置される。
【００２１】
タンパーエビデント環を伴うキャップは、キャップを初めてその閉位置から使用者によって開放方向に回転させると、指示部分の始端がボスと係合するように具現化される。そのため、ボスは、始端がキャップの開放方向にさらに動くことを防止し、前記始端と基礎部分の終端との間の脆弱性橋梁部は破断し、指示部分は永久的に変形する。
【００２２】
ボスは、指示部分の始端を向くボスの側において凹部を有する留め部分を有し、キャップがその閉位置にあるときに終端の近くで基礎部分の内面に沿って配置される外面を伴う留め部分外壁を有する。
【００２３】
指示部分の始端は、キャップがその閉位置にあるときに隣接する基礎部分の終端から径方向内向きにある間隔において配置される。つまり、それによって、キャップを初めてその閉位置から使用者によって開放方向に回転させると、指示部分の始端は留め部分の凹部に入り、そのためキャップの開放方向にさらに動くことが防止され、一方、留め部分外壁は、離間させられた始端と終端との間の間隔へ入り、開放方向にキャップをさらに回転させると、前記始端と終端との間の脆弱性橋梁部は破断し、指示部分は、曲がる、折れる、および/または倒れ、永久的に変形する。
【００２４】
本考案は、各々の羽根部品は、羽根パネルとして具現化される基礎部分と、基礎部分から上向きに延び、互いから分岐して、基礎部分と共に羽根部品のY字形とされた鉛直方向の断面を定める2つの分岐した上突出部を伴う隣接する上部分とを有する、請求項11の閉鎖組立体にも関する。この実施形態は、請求項1の閉鎖組立体を参照して本明細書において詳述された特徴のうちの1つまたは複数を含み得る。
【００２５】
本考案は、本明細書で記載されたような閉鎖組立体が設けられた、例えば折り畳み可能な袋包装といった容器にも関する。例えば、柔軟な袋包装は上縁を有し、注出口封止部分は、横方向において延びる袋包装の上縁封止部における2つの袋包装壁の間で封止され、キャップの羽根部は、キャップの閉位置において、折り畳み可能な袋包装の上縁の鉛直平面と平行に前記横方向に延びる。
【００２６】
ここで、本考案は、添付の図面を参照してより詳細に説明されることになる。
【図面の簡単な説明】
【００２７】
【図１】閉位置における閉止組立体の斜視側面図である。
【図２】閉止組立体の注出口の斜視側面図である。
【図３】閉止組立体のキャップの斜視側面図である。
【図４】閉止組立体のキャップの斜視上面図である。
【図５】閉止組立体のキャップの斜視下面図である。
【図６】閉止組立体のキャップの斜視下面図である。
【図７】羽根部品の鉛直方向切断B-B'の斜視図である。
【図８】キャップの鉛直方向切断A-A'の断面図である。
【図９】本考案による閉止組立体のT字形キャップの斜視図である。
【考案を実施するための形態】
【００２８】
図1は、本考案による閉鎖組立体を示している。閉鎖組立体は注出口1と回転キャップ2とを備える。
【００２９】
図2では、本考案による閉鎖組立体の注出口1が示されている。注出口1は、プラスチック材料から射出成形された注出口本体11を有する。この注出口本体11は、封止部分の上方に管状の首部13を有し、製品通路14が注出口封止部分と注出口の首部とを通じて延びる。管状の首部は、鉛直方向の主軸13cを有し、前記製品通路の上端において口部15を形成する。さらに、首部は、回転連結部材16を有する外部側面13aを有する。好ましくは、図示されているように、回転連結部材16は、首部における第1のネジ山16として具現化される。
【００３０】
閉止組立体の回転キャップ2はプラスチック材料から射出成形される。回転キャップ2は、首部におけるキャップの閉位置において、注出口の首部に固定される、または、注出口の首部に固定されることになり、それによってキャップは製品通路を封止する。キャップは、製品通路を開放するための使用者による注出口の首部からのキャップの取り外しのために、図1に示された閉位置から、開放方向γに手作業で回転されるようにさらに適合される。
【００３１】
図3および図4では、本考案による回転キャップ2の斜視図が示されている。指示されているように、キャップ2は上壁21と下向きに垂れるスカート部22とを備える。スカート部は、内部側面22bと、外部側面22aと、上壁から離れた下方縁とを有する。
【００３２】
図5は、キャップ2の下方からの斜視図であり、キャップ2の内部を示している。指示されているように、スカート部の内部側面は回転連結部材23を有している。これらの回転連結部材は、注出口の首部の外部側面における連結部材と協働する。好ましくは、図示されているように、これら連結部材はスカート部における第2のネジ山23として具現化される。
【００３３】
図3〜図8の各々において指示されているように、キャップには、好ましいとされるため、直径方向で反対にある2つの羽根部品24が設けられ、羽根部品24はプラスチック材料から各々成形される。羽根部品は、前記スカート部から外向きに、羽根部品長さにわたって横方向に延びる。さらに、羽根部品は基礎部分24aと上部分24bとを各々有する。
【００３４】
2つの羽根部品の各々の上部分は少なくとも1つの上突出部25を備える。この上部分は、基礎部分から上部分の高さにわたり、上突出部長さにわたって羽根部品長さに沿って横方向に延びる。
【００３５】
そこでは、各々の上突出部は、具体的には、キャップの上面視において、2つの羽根部品の各々の上部分が、開放方向に対応する方向、および/または、開放方向と反対の方向において、羽根部品の基礎部分にわたって、または、基礎部分の外側で、羽根部品長さに沿って延びるように、キャップの上面視において、キャップの開放方向に、または、キャップの開放方向と反対に実質的に延びる。
【００３６】
より具体的には、各々の上突出部は、この方法では、各々の上突出部長さに沿って、開放方向の鉛直平面における断面について、少なくとも1つの上突出部の表面積が、基礎部分の表面積と、少なくとも等しく慣性モーメントに寄与するように延びる。
【００３７】
図3〜図8に示されたキャップの好ましい実施形態では、2つの羽根部品の各々の上部分は少なくとも2つの上突出部を備える。少なくとも2つの上突出部のうちの少なくとも1つは、キャップの上面視において、開放方向において基礎部分の外側で羽根部品長さに沿って延びる。少なくとも2つの上突出部のうちの少なくとも別のものは、キャップの上面視において、開放方向と反対の方向において基礎部分の外側で羽根部品長さに沿って延びる。
【００３８】
図3では、斜視図で図8に示されている鉛直方向の切断A-A'の位置が指示されている。この実施形態について、好ましいとされるため、羽根部品の鉛直方向の断面は、上突出部長さの大部分または全部にわたってY字形を定めることが、検証され得る。
【００３９】
代替の例の実施形態では、羽根部品の鉛直方向の断面は、各々の上突出部長さに沿ってT字形を定める。これは図9において描写されており、図9は、同じ符号が図1〜図8の実施形態と同じまたは同様の構成要素を示している。T字形の上面において、破線が羽根部品の鉛直平面を指示しており、前記鉛直平面に対して、好ましくは対照的に、反対に方向付けられている上突出部25の輪郭を示している。T字形の上面は平坦であり得るが、断面図において若干の湾曲を有してもよい。
【００４０】
別の代替の実施形態では、上突出部は、キャップの上面視において、開放方向において基礎部分の外側にすべて延びるか、または、反対方向において基礎部分の外側にすべて延びるかのいずれかである。
【００４１】
そこでは、各々の上突出部長さに沿って、羽根部品の鉛直方向の断面が、例えば、ひっくり返されたL字形、または、鏡像でひっくり返されたL字形を定め得る。
【００４２】
さらに好ましくは、上突出部は、羽根部品の基礎部分の羽根パネルのように、特にはキャップの上壁と直接的に連結するように、スカート部から外向きに延びる。これは、キャップの高さの効率的な使用を可能にし、キャップ内でのトルクの伝達にさらに都合が良い。
【００４３】
図3では、斜視図で図7に示されている鉛直方向の切断B-B'の位置が指示されている。この実施形態については、好ましいとされるため、少なくとも1つの上突出部を有する各々の羽根部品の高さが羽根部品長さにわたって横方向で低下することが、検証され得る。
【００４４】
図7に示されているように、この具体的な実施形態では、少なくとも1つの上突出部を有する各々の羽根部品の上部分は、羽根部品長さに沿って、横方向において、羽根部品の高さにわたって弓形を定める。
【００４５】
図4の上方からの斜視図から最良に検証され得るように、好ましいとされるため、キャップの上面視において、各々の上突出部は、実質的にそれぞれの羽根部品長さ全体にわたって延びる。この方式では、基礎部分に対する突出部の硬くする効果と、結果として起こる材料の低減とが、この寸法においても最大化される。
【００４６】
さらに、長さに沿っての断面の形の連続する経過と、延いては、長さに沿っての剛性の連続する経過とは、信頼性および使い勝手の良さを高める。長さに沿っての各々の点において、使用者は、キャップを開放および/または閉止するために使用者の指によって発揮されるトルクに耐えるだけの剛性を期待でき、不連続性が把持と干渉することはない。
【００４７】
機能性および人間工学性においてさらに有利には、羽根部品長さは、開放および/または閉止の間に使用者を羽根部品に係合させることができるようにするために、好ましくは親指の平均幅より好ましくは大きく、つまりは約1.5ｃｍである。材料の意図された最小化を考慮して、羽根部品長さは、好ましくは、外側端がキャップの機能性に関係する寄与をなおも行うように、なおも制限されたままとされるべきである。さらに、羽根部品長さは袋包装の長さを好ましくは越えず、閉鎖組立体は、その輸送を容易にするために横方向において提供される。実際、羽根部品長さは約4.5ｃｍまで小さくなる。
【００４８】
図6および図8から最もはっきりと見ることができるように、キャップ2の好ましい実施形態では、2つの羽根部品の各々は少なくとも1つの端突出部26をさらに備える。この端突出部26は、横端の高さにわたって2つの羽根部品のうちの少なくとも一方の前記横端の縁に沿って延び、キャップの開放方向に、または、キャップの開放方向と反対に実質的に延びている。羽根部品の横端において、2つの端突出部は一緒に、好ましいとされるため、丸くされた端を形成している。好ましいとされるため、羽根部品における平面図において見られるように、突出部26は湾曲されており、湾曲は、湾曲の一方の端において上突出部25へと融合し、湾曲の他方の端において羽根部品の下方縁へと融合する。端突出部26は、羽根部品をさらに安定させ、具体的には、その横端をさらに安定させるように供する。
【００４９】
図2、図4〜図6から最良に検証され得るように、図示されている実施形態は、好ましいとされるため、特許文献２の開示によるタンパーエビデント環3を備える。
【００５０】
タンパーエビデント環3はスカート部と一体に成形される。タンパーエビデント環3は少なくとも2つの環区分31から成る。各々の環区分は基礎部分32と指示部分33とを有する。
【００５１】
そこでは、基礎部分は、1つまたは複数の非脆弱性コネクタ部分34を介してスカート部に連結され、基礎部分の終端32aから、開放方向において、主軸の周りでの基礎部分角度にわたって延びる。基礎部分は、主軸の周りの内面半径を伴う内面32bを有する。
【００５２】
そこでは、指示部分33は、分岐部33aにおいて基礎部分と一体である。指示部分は、分岐部から、開放方向において、主軸の周りでの指示部分角度にわたって、指示部分の始端35まで延びている。
【００５３】
さらに、指示部分33は、その始端35において、一体に成形された脆弱性橋梁部36を介して、別の環区分31の基礎部分の隣接する終端32aに連結される。
【００５４】
図2において見ることができるように、注出口は、タンパーエビデント環の各々の環区分31について、回転防止ボス4を有する。このボスは、区分の指示部分33の対応する始端33aによって係合されるように配置される。
【００５５】
タンパーエビデント環を伴うキャップは、キャップを初めてその閉位置から使用者によって開放方向に回転させると、指示部分33の始端がボスと係合するように具現化される。そのため、ボスは、始端がキャップの開放方向にさらに動くことを防止し、前記始端33aと基礎部分の終端32aとの間の脆弱性橋梁部36は破断し、指示部分は永久的に変形する。
【００５６】
ボス4は、指示部分33の始端33aを向くボスの側において、凹部42を有する留め部分41を有する。さらに、ボス4は、外面41bを伴う留め部分外壁41aを有する。この外面は、キャップがその閉位置にあるとき、終端32aの近くで基礎部分の内面32bに沿って配置される。
【００５７】
指示部分の始端33aは、キャップがその閉位置にあるとき、隣接する基礎部分の終端32aから径方向内向きにある間隔において配置され、つまり、それによって、キャップを初めてその閉位置から使用者によって開放方向に回転させると、指示部分の始端33aは留め部分の凹部32に入る。そのため、指示部分の始端33aは、キャップの開放方向にさらに動くことが防止され、一方、留め部分外壁41aは、離間させられた始端35と終端32aとの間の間隔へ入る。開放方向にキャップをさらに回転させると、前記始端と終端との間の脆弱性橋梁部36は破断し、指示部分33は、曲がる、折れる、および/または倒れ、永久的に変形する。
【００５８】
図1は、閉鎖組立体が、上縁51と、横方向において延びる上縁封止部とを伴う折り畳み可能な袋包装50に設けられるとき、閉位置にあるキャップ2の羽根部品が、折り畳み可能な袋包装50の上縁51の鉛直平面と平行な横方向において延びる実施形態を概略的に例示している。これは、閉鎖組立体が設けられた袋包装によって袋包装に垂直な方向における空間の占有を制限し、それによって、具体的には大量での取り扱い、保管、および/または輸送されるとき、効率的な取り扱い、保管、および輸送を可能にする。
【符号の説明】
【００５９】
1    注出口
2    回転キャップ
3    タンパーエビデント環
4    回転防止ボス
11    注出口本体
13    管状の首部
13a    外部側面
13c    鉛直方向の主軸
14    製品通路
15    口部
16    回転連結部材、第1のネジ山
21    上壁
22    スカート部
22a    外部側面
22b    内部側面
23    回転連結部材、第2のネジ山
24    羽根部品
24a    基礎部分
24b    上部分
25    上突出部
26    端突出部
31    環区分
32    基礎部分
32a    終端
32b    内面
33    指示部分
33a    始端
34    非脆弱性コネクタ部分
35    始端
36    脆弱性橋梁部
41    留め部分
41a    留め部分外壁
41b    外面
42    凹部
50    折り畳み可能な袋包装
51    上縁
γ    開放方向
【図１】
0003227979.tif 000003
【図２】
0003227979.tif 000004
【図３】
0003227979.tif 000005
【図４】
0003227979.tif 000006
【図５】
0003227979.tif 000007
【図６】
0003227979.tif 000008
【図７】
0003227979.tif 000009
【図８】
0003227979.tif 000010
【図９】
0003227979.tif 000011
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
プラスチック材料から射出成形される注出口本体(11)を有する注出口(1)であって、前記注出口本体(11)は、その封止部分の上方に管状の首部(13)を有し、製品通路(14)が前記注出口の前記封止部分と前記注出口の前記首部とを通じて延び、前記管状の首部は、鉛直方向の主軸(13c)を有し、前記製品通路の上端において口部(15)を形成し、前記首部は外部側面(13a)を有する、注出口(1)と、
プラスチック材料から射出成形され、それ自体が前記製品通路を封止するように前記首部におけるそれ自体の閉位置において前記注出口の前記首部に固定されるかまたは固定されることになる回転キャップ(2)であって、前記製品通路を開放するための使用者による前記注出口の前記首部からの前記回転キャップの取り外しのために、前記閉位置から開放方向(y)に手作業で回転させられるように適合される回転キャップ(2)と、
を備え、
前記回転キャップは上壁(21)と下向きに垂れるスカート部(22)とを備え、前記スカート部は、内部側面(22b)と、外部側面(22a)と、前記上壁から離れた下方縁とを有し、
前記首部の前記外部側面および前記スカート部の前記内部側面は、協働する回転連結部材を有し、
前記回転キャップは直径方向で反対にある2つの羽根部品(24)を有し、前記羽根部品(24)は、プラスチック材料から一体的に成形され、鉛直平面において、前記スカート部から外向きに、羽根部品長さにわたって横方向に延び、基礎部分(24a)と上部分(24b)とを各々が有する、
閉鎖組立体であって、
前記2つの羽根部品の各々の前記上部分は、前記基礎部分から前記上部分の高さにわたり、上突出部長さにわたって羽根部品長さに沿って横方向に延びる少なくとも1つの上突出部(25)を備え、
各々の上突出部(25)は、前記回転キャップの上面視において、前記2つの羽根部品の各々の前記上部分が、前記開放方向に対応する方向、および/または、前記開放方向と反対の方向において、前記羽根部品の前記基礎部分にわたって、または、前記基礎部分の外側で、前記羽根部品長さに沿って延びるように、前記回転キャップの上面視において、前記回転キャップの前記開放方向に、または、前記回転キャップの前記開放方向と反対に実質的に延び、
それによって、各々の上突出部長さに沿って、前記開放方向の鉛直平面における断面について、前記少なくとも1つの上突出部の表面積が、前記基礎部分の表面積と、少なくとも等しく慣性モーメントに寄与する
ことを特徴とする閉鎖組立体。
【請求項２】
協働する前記回転連結部材は、前記首部および前記スカート部のそれぞれにおける第1および第2のネジ山(16、23)である、請求項1に記載の閉鎖組立体。
【請求項３】
2つの前記羽根部品の各々の前記上部分は2つの上突出部(25)を備え、前記上突出部(25)のうちの一方は、前記回転キャップの上面視において、前記開放方向において前記基礎部分の外側で前記羽根部品長さに沿って延び、
前記上突出部(25)のうちの他方は、前記回転キャップの上面視において、前記開放方向と反対の方向において前記基礎部分の外側で前記羽根部品長さに沿って延びる、請求項1に記載の閉鎖組立体。
【請求項４】
各々の上突出部長さに沿って、前記羽根部品の鉛直方向の断面がY字形を定める、請求項3に記載の閉鎖組立体。
【請求項５】
各々の上突出部長さに沿って、前記羽根部品の鉛直方向の断面がT字形を定める、請求項3に記載の閉鎖組立体。
【請求項６】
少なくとも1つの上突出部を有する各々の羽根部品の高さが前記羽根部品長さにわたって横方向で低下する、請求項1から5のいずれか一項に記載の閉鎖組立体。
【請求項７】
少なくとも1つの上突出部を有する各々の羽根部品の前記上部分は、前記羽根部品長さに沿って、前記横方向において、前記羽根部品の高さにわたって弓形を定める、請求項6に記載の閉鎖組立体。
【請求項８】
前記回転キャップの上面視において、各々の上突出部は、実質的に前記羽根部品長さ全体にわたって延びる、請求項1から7のいずれか一項に記載の閉鎖組立体。
【請求項９】
前記羽根部品長さは前記スカート部から測定して1.5から4.5ｃｍの間である、請求項1から8のいずれか一項に記載の閉鎖組立体。
【請求項１０】
前記2つの羽根部品の各々は少なくとも1つの端突出部(26)をさらに備え、前記端突出部(26)の各々は、前記2つの羽根部品の各々の横端の縁に沿って、前記横端の高さにわたって延び、前記回転キャップの前記開放方向に、および/または、前記回転キャップの前記開放方向の反対に実質的に延びる、請求項1から9のいずれか一項に記載の閉鎖組立体。
【請求項１１】
前記回転キャップは、前記スカート部に一体に成形されるタンパーエビデント環(3)をさらに備え、前記タンパーエビデント環は少なくとも2つの環区分(31)から成り、各々の環区分は基礎部分(32)と指示部分(33)とを有し、
前記基礎部分は、1つまたは複数の非脆弱性コネクタ部分(34)を介して前記スカート部に連結され、前記基礎部分は、その終端(32a)から、開放方向において、前記主軸の周りでの基礎部分角度にわたって延び、前記基礎部分は、前記主軸の周りの内面半径を伴う内面(32b)を有し、
前記指示部分(33)は、分岐部(33a)において前記基礎部分と一体であり、前記分岐部から、開放方向において、前記主軸の周りでの指示部分角度にわたって、前記指示部分の始端(35)まで延び、
前記指示部分(33)は、その前記始端(35)において、一体に成形された脆弱性橋梁部(36)を介して、別の環区分(31)の基礎部分の隣接する終端(32a)に連結され、
前記注出口は、前記タンパーエビデント環の各々の環区分(31)について、回転防止用のボス(4)を有し、前記ボスは、前記環区分の指示部分(33)の対応する始端(33a)によって係合されるように配置され、
タンパーエビデント環を伴う前記回転キャップは、前記回転キャップを初めてその閉位置から前記使用者によって開放方向に回転させると、前記指示部分(33)の前記始端が前記ボスと係合するように具現化され、それによって前記ボスは前記始端が前記回転キャップの開放方向にさらに動くことを防止し、前記始端(33a)と前記基礎部分の前記終端(32a)との間の前記脆弱性橋梁部(36)は破断し、前記指示部分は永久的に変形し、
前記ボス(4)は、前記指示部分(33)の前記始端(33a)を向く前記ボスの側において凹部(42)を有する留め部分(41)を有し、前記回転キャップがその閉位置にあるときに前記終端(32a)の近くで前記基礎部分の前記内面(32b)に沿って配置される外面(41b)を伴う留め部分外壁(41a)を有し、
前記指示部分の前記始端(33a)は、前記回転キャップがその閉位置にあるときに隣接する前記基礎部分の前記終端(32a)から径方向内向きにある間隔において配置され、
それによって、前記回転キャップを初めてその閉位置から前記使用者によって開放方向に回転させると、前記指示部分の前記始端(33a)は前記留め部分の前記凹部(42)に入り、そのため前記回転キャップの開放方向にさらに動くことが防止され、一方、前記留め部分外壁(41a)は、離間させられた前記始端(35)と前記終端(32a)との間の前記間隔へ入り、開放方向に前記回転キャップをさらに回転させると、前記始端と前記終端との間の前記脆弱性橋梁部(36)は破断し、前記指示部分(33)は、曲がる、折れる、および/または倒れ、永久的に変形する、請求項1から10のいずれか一項に記載の閉鎖組立体。
【請求項１２】
プラスチック材料から射出成形される注出口本体(11)を有する注出口(1)であって、前記注出口本体(11)は、封止部分の上方に管状の首部(13)を有し、製品通路(14)が前記注出口の前記封止部分と前記注出口の前記首部とを通じて延び、前記管状の首部は、鉛直方向の主軸(13c)を有し、前記製品通路の上端において口部(15)を形成し、前記首部は外部側面(13a)を有する、注出口(1)と、
プラスチック材料から射出成形され、それ自体が前記製品通路を封止するように前記首部におけるそれ自体の閉位置において前記注出口の前記首部に固定されるかまたは固定されることになる回転キャップ(2)であって、前記製品通路を開放するための使用者による前記注出口の前記首部からの前記回転キャップの取り外しのために、前記閉位置から開放方向(γ)に手作業で回転させられるように適合される回転キャップ(2)と
を備え、
前記回転キャップは上壁(21)と下向きに垂れるスカート部(22)とを備え、前記スカート部は、内部側面(22b)と、外部側面(22a)と、前記上壁から離れた下方縁とを有し、
前記首部の前記外部側面および前記スカート部の前記内部側面は、協働する回転連結部材を有し、
前記回転キャップは直径方向で反対にある2つの羽根部品(24)を有し、前記羽根部品(24)は、プラスチック材料から一体的に成形され、鉛直平面において、前記スカート部から外向きに、羽根部品長さにわたって横方向に延びる、
閉鎖組立体であって、
各々の羽根部品(24)は、羽根パネルとして具現化される基礎部分(24a)と、前記基礎部分(24a)から上向きに延び、互いから分岐して、前記基礎部分(24a)と共に前記羽根部品のY字形とされた鉛直方向の断面を定める2つの分岐した上突出部(25)を伴う隣接する上部分(24b)とを有する
ことを特徴とする閉鎖組立体。
【請求項１３】
協働する前記回転連結部材は、前記首部および前記スカート部のそれぞれにおける第1および第2のネジ山(16、23)である、請求項12に記載の閉鎖組立体。
【請求項１４】
請求項1から13のいずれか一項に記載の閉鎖組立体が設けられた容器(50)。
【請求項１５】
請求項1から12のいずれか一項に記載の閉鎖組立体が設けられた折り畳み可能な袋包装であって、前記袋包装(50)は上縁(51)を有し、前記注出口の封止部分は、前記横方向において延びる前記袋包装の上縁封止部における2つの袋包装壁の間で封止され、前記回転キャップ(2)の前記羽根部品は、前記回転キャップの閉位置において、前記折り畳み可能な袋包装の前記上縁の前記鉛直平面と平行に前記横方向に延びる、折り畳み可能な袋包装。